【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】 映像情報から記述レコードを生成するためのシステムにおいて、
前記映像情報を受信するための少なくとも１つの映像入力インタフェースと、 
前記少なくとも１つの映像入力インタフェースに接続されてそこから前記映像情報を受信し、映像オブジェクト抽出処理を実行することによって前記映像情報を処理して前記映像情報から映像オブジェクト記述を生成し、オブジェクト階層構成・抽出処理によって前記生成された映像オブジェクト記述を処理して映像オブジェクト階層記述を生成し、かつ実体関係グラフ生成処理によって前記生成された映像オブジェクト記述を処理して実体関係グラフ記述を生成し、前記映像オブジェクト記述と前記映像オブジェクト階層記述と前記実体関係グラフ記述とを含む少なくとも１つの記述レコードが、前記映像情報内に埋め込まれたコンテンツを表現するために生成されるコンピュータプロセッサと、
前記プロセッサに作動的に接続された、前記少なくとも１つの記述レコードを蓄積するためのデータ蓄積システムとを含むことを特徴とするシステム。
【請求項２】 前記映像オブジェクト抽出処理と前記オブジェクト階層構成・抽出処理が並行して実行される、請求項１記載のシステム。
【請求項３】 前記映像オブジェクト抽出処理が、
前記映像情報中の各映像を前記映像内の諸領域に分割する映像分割処理と、
単数または複数の前記領域に関する単数または複数の特徴記述を生成する特徴抽出・注釈処理とを含み、
前記生成された映像オブジェクト記述が、単数または複数の前記領域に関する前記単数または複数の特徴記述を含む、請求項１記載のシステム。
【請求項４】 前記領域が局所的領域とセグメント領域と大域的領域とからなる群から選択される、請求項３記載のシステム。
【請求項５】 前記単数または複数の特徴記述が、記録媒体特徴と視覚特徴と時間特徴と意味特徴とからなる群から選択される、請求項３記載のシステム。
【請求項６】 前記意味特徴がさらに、誰、如何なるオブジェクト、如何なる行動、何処、何時、何故およびテキスト注釈からなる群から選択される少なくとも１つの特徴記述によって定義される、請求項５記載のシステム。
【請求項７】 前記視覚特徴がさらに、色、表面模様、位置、サイズ、形状、動き、カメラの動き、編集効果および方位からなる群から選択される少なくとも１つの特徴記述によって定義される、請求項５記載のシステム。
【請求項８】 前記記録媒体特徴がさらに、ファイル形式、ファイルサイズ、色表現、解像度、データファイルロケーション、著者、作成、スケーラブルレイヤおよびモダリティトランスコーディングからなる群から選択される少なくとも１つの特徴記述によって定義される、請求項５記載のシステム。
【請求項９】 前記時間特徴がさらに、開始時間と終了時間と持続時間とからなる群から選択される少なくとも１つの特徴記述によって定義される、請求項５記載のシステム。
【請求項１０】 前記オブジェクト階層構成・抽出処理が、前記映像オブジェクト記述によって表現される映像オブジェクトの視覚特徴関連に基づいて前記映像オブジェクト記述の映像オブジェクト階層記述を生成する、請求項１記載のシステム。
【請求項１１】 前記オブジェクト階層構成・抽出処理が、前記映像オブジェクト記述によって表現される映像オブジェクトの意味特徴関連に基づいて前記映像オブジェクト記述の映像オブジェクト階層記述を生成する、請求項１記載のシステム。
【請求項１２】 前記オブジェクト階層構成・抽出処理が、前記映像オブジェクト記述によって表現される映像オブジェクトの記録媒体特徴関連に基づいて前記映像オブジェクト記述の映像オブジェクト階層記述を生成する、請求項１記載のシステム。
【請求項１３】 前記オブジェクト階層構成・抽出処理が、前記映像オブジェクト記述によって表現される映像オブジェクトの関連に基づいて前記映像オブジェクト記述の映像オブジェクト階層記述を生成し、前記関連が、視覚特徴関連と意味特徴関連と時間特徴関連と記録媒体特徴関連とからなる群から選択される、請求項１記載のシステム。
【請求項１４】 前記オブジェクト階層構成・抽出処理が、前記映像オブジェクト記述によって表現される映像オブジェクトの関連に基づいて前記映像オブジェクト記述の映像オブジェクト階層記述を生成し、前記映像オブジェクト階層記述が複数の階層レベルを有する、請求項１記載のシステム。
【請求項１５】 複数の階層レベルを有する前記映像オブジェクト階層記述がクラスタリング階層を含む、請求項１４記載のシステム。
【請求項１６】 前記クラスタリング階層が、前記映像オブジェクト記述によって表現される映像オブジェクトの関連に基づいており、前記関連が、視覚特徴関連と意味特徴関連と時間特徴関連と記録媒体特徴関連とからなる群から選択される、請求項１５記載のシステム。
【請求項１７】 複数の階層レベルを有する前記映像オブジェクト階層記述が、抽出階層の多重レベルを含むように構成される、請求項１５記載のシステム。
【請求項１８】 前記抽出階層の多重レベルが、前記映像オブジェクト記述によって表現される映像オブジェクトの関連に基づくように構成され、前記関連が、視覚特徴関連と意味特徴関連と時間特徴関連と記録媒体特徴関連とからなる群から選択される、請求項１７記載の方法。
【請求項１９】 前記実体関係グラフ生成処理が、前記映像オブジェクト記述によって表現される映像オブジェクトの関連に基づいて前記映像オブジェクト記述の実体関係グラフ記述を生成し、前記関連が、視覚特徴関連と意味特徴関連と時間特徴関連と記録媒体特徴関連とからなる群から選択される、請求項１記載のシステム。
【請求項２０】 さらに、前記映像オブジェクト記述を受信して符号化記述情報に符号化するためのエンコーダを含み、前記データ蓄積システムが前記符号化記述情報を前記少なくとも１つの記述レコードとして蓄積するように作動する、請求項１記載のシステム。
【請求項２１】 前記映像オブジェクト記述と前記映像オブジェクト階層記述と前記実体関係グラフ記述が互いに組合わされて映像記述を形成し、さらに、前記映像記述を受信して符号化記述情報に符号化するためのエンコーダを含み、前記データ蓄積システムが前記符号化記述情報を前記少なくとも１つの記述レコードとして蓄積するように作動する、請求項１記載のシステム。
【請求項２２】 前記エンコーダが２進エンコーダを含む、請求項２１記載のシステム。
【請求項２３】 前記エンコーダがＸＭＬエンコーダを含む、請求項２１記載のシステム。
【請求項２４】 さらに、コンピュータプロセッサに作動的に接続された映像情報を表示するための映像表示装置とコンピュータプロセッサに作動的に接続された少なくとも１つのユーザ入力装置とを含み、 前記映像オブジェクト処理の少なくとも一部が、前記ユーザ入力装置の操作によるユーザ入力を受信することを含む、請求項１記載のシステム。
【請求項２５】 映像情報から記述コードを生成するための方法において、
前記映像情報を受信するステップと、 映像オブジェクト抽出処理を実行することによって前記映像情報を処理して前記映像情報から映像オブジェクト記述を生成するステップと、 
オブジェクト階層構成・抽出処理によって前記生成された映像オブジェクト記述を処理して映像オブジェクト階層記述を生成するステップと、
実体関係グラフ生成処理によって前記生成された映像オブジェクト記述を処理して実体関係グラフ記述を生成し、前記映像オブジェクト記述と前記映像オブジェクト階層記述と前記実体関係グラフ記述とを含む少なくとも１つの記述レコードが、前記映像情報内に埋め込まれたコンテンツを表現するために生成されるステップと、
前記少なくとも１つの記述レコードを蓄積するステップとを含むことを特徴とする方法。
【請求項２６】 前記映像オブジェクト抽出処理ステップと前記オブジェクト階層構成・抽出処理ステップが並行して実行される、請求項２５記載の方法。
【請求項２７】 前記映像オブジェクト抽出処理ステップがさらに、
前記映像情報中の各映像を前記映像内の諸領域に分割する映像分割処理ステップと、
単数または複数の前記領域に関する単数または複数の特徴記述を生成する特徴抽出・注釈処理ステップとを含み、
前記生成された映像オブジェクト記述が単数または複数の前記領域に関する前記単数または複数の特徴記述を含む、請求項２５記載の方法。
【請求項２８】 前記領域が局所的領域とセグメント領域と大域的領域とからなる群から選択される、請求項２７記載の方法。
【請求項２９】 さらに、記録媒体特徴と視覚特徴と時間特徴と意味特徴とからなる群から前記単数または複数の特徴記述を選択するステップを含む、請求項２７記載の方法。
【請求項３０】 前記意味特徴がさらに、誰、如何なるオブジェクト、如何なる行動、何処、何時、何故およびテキスト注釈からなる群から選択される少なくとも１つの特徴記述によって定義される、請求項２９記載の方法。
【請求項３１】 前記視覚特徴がさらに、色、表面模様、位置、サイズ、形状、動き、編集効果、カメラの動きおよび方位からなる群から選択される少なくとも１つの特徴記述によって定義される、請求項２９記載の方法。
【請求項３２】 前記記録媒体特徴がさらに、ファイル形式、ファイルサイズ、色表現、解像度、データファイルロケーション、著者、作成、スケーラブルレイヤおよびモダリティトランスコーディングからなる群から選択される少なくとも１つの特徴記述によって定義される、請求項２９記載の方法。
【請求項３３】 前記時間特徴がさらに、開始時間と終了時間と持続時間とからなる群から選択される少なくとも１つの特徴記述によって定義される、請求項２９記載の方法。
【請求項３４】 前記オブジェクト階層構成・抽出処理ステップが、前記映像オブジェクト記述によって表現される映像オブジェクトの視覚特徴関連に基づいて前記映像オブジェクト記述の映像オブジェクト階層記述を生成する、請求項２５記載の方法。
【請求項３５】 前記オブジェクト階層構成・抽出処理ステップが、前記映像オブジェクト記述によって表現される映像オブジェクトの意味特徴関連に基づいて前記映像オブジェクト記述の映像オブジェクト階層記述を生成する、請求項２５記載の方法。
【請求項３６】 前記オブジェクト階層構成・抽出処理ステップが、前記映像オブジェクト記述によって表現される映像オブジェクトの記録媒体特徴関連に基づいて前記映像オブジェクト記述の映像オブジェクト階層記述を生成する、請求項２５記載の方法。
【請求項３７】 前記オブジェクト階層構成・抽出処理ステップが、前記映像オブジェクト記述によって表現される映像オブジェクトの時間特徴関連に基づいて前記映像オブジェクト記述の映像オブジェクト階層記述を生成する、請求項２５記載の方法。
【請求項３８】 前記オブジェクト階層構成・抽出処理ステップが、前記映像オブジェクト記述によって表現される映像オブジェクトの関連に基づいて前記映像オブジェクト記述の映像オブジェクト階層記述を生成し、前記関連が、視覚特徴関連と意味特徴関連と時間特徴関連と記録媒体特徴関連とからなる群から選択される、請求項２５記載の方法。
【請求項３９】 前記オブジェクト階層構成・抽出処理ステップが、前記映像オブジェクト記述によって表現される映像オブジェクトの関連に基づいて前記映像オブジェクト記述の映像オブジェクト階層記述を生成し、前記映像オブジェクト階層記述が、複数の階層レベルを有するように構成される、請求項２５記載の方法。
【請求項４０】 複数の階層レベルを有する前記映像オブジェクト階層記述が、クラスタリング階層を含むように構成される、請求項３９記載の方法。
【請求項４１】 前記クラスタリング階層が、前記映像オブジェクト記述によって表現される映像オブジェクトの関連に基づくように構成され、前記関連が、視覚特徴関連と意味特徴関連と時間特徴関連と記録媒体特徴関連とからなる群から選択される、請求項４０記載の方法。
【請求項４２】 複数の階層レベルを有する前記映像オブジェクト階層記述が、抽出階層の多重レベルを含むように構成される、請求項４０記載の方法。
【請求項４３】 前記抽出階層の多重レベルが、前記映像オブジェクト記述によって表現される映像オブジェクトの関連に基づくように構成され、前記関連が、視覚特徴関連と意味特徴関連と時間特徴関連と記録媒体特徴関連とからなる群から選択される、請求項４０記載の方法。
【請求項４４】 前記実体関係グラフ生成処理ステップが、前記映像オブジェクト記述によって表現される映像オブジェクトの関連に基づいて前記映像オブジェクト記述の実体関係グラフ記述を生成し、前記関連が、視覚特徴関連と意味特徴関連と時間特徴関連と記録媒体特徴関連とからなる群から選択される、請求項２５記載の方法。
【請求項４５】 さらに、前記映像オブジェクト記述を受信して符号化記述情報に符号化するステップと前記符号化記述情報を前記少なくとも１つの記述レコードとして蓄積するステップとを含む、請求項２５記載の方法。
【請求項４６】 さらに、前記映像オブジェクト記述と前記映像オブジェクト階層記述と前記実体関係グラフ記述とを組合わせて映像記述を形成するステップと、前記映像記述を受信して符号化記述情報に符号化するステップと、前記符号化記述情報を前記少なくとも１つの記述レコードとして蓄積するステップとを含む、請求項２５記載の方法。
【請求項４７】 前記符号化ステップが２進符号化ステップを含む、請求項４６記載の方法。
【請求項４８】 前記符号化ステップがＸＭＬ符号化ステップを含む、請求項４６記載の方法。
【請求項４９】 対応する映像情報内に埋め込まれた映像コンテンツを表現する少なくとも１つの記述レコードを備えたディジタル情報を含むコンピュータ可読記録媒体において、少なくとも１つの記述レコードが、
映像オブジェクト抽出処理を利用して前記映像情報から生成される単数または複数の映像オブジェクト記述と、
オブジェクト階層構成・抽出処理を利用して前記生成された映像オブジェクト記述から生成される単数または複数の映像オブジェクト階層記述と、
実体関係グラフ生成処理を利用して前記生成された映像オブジェクト記述から生成される単数または複数の実体関係グラフ記述とを含むことを特徴とするコンピュータ可読記録媒体。
【請求項５０】 前記映像オブジェクト記述と前記映像オブジェクト階層記述と前記実体関係グラフ記述がさらに単数または複数の特徴記述を含む、請求項４９記載のコンピュータ可読記録媒体。
【請求項５１】 前記単数または複数の特徴記述が、記録媒体特徴と視覚特徴と時間特徴と意味特徴とからなる群から選択される、請求項５０記載のコンピュータ可読記録媒体。
【請求項５２】 前記意味特徴がさらに、誰、如何なるオブジェクト、如何なる行動、何処、何時、何故およびテキスト注釈からなる群から選択される少なくとも１つの特徴記述によって定義される、請求項５１記載のコンピュータ可読記録媒体。
【請求項５３】 前記視覚特徴がさらに、色、表面模様、位置、サイズ、形状、動き、カメラの動き、編集効果および方位からなる群から選択される少なくとも１つの特徴記述によって定義される、請求項５１記載のコンピュータ可読記録媒体。
【請求項５４】 前記記録媒体特徴がさらに、ファイル形式、ファイルサイズ、色表現、解像度、データファイルロケーション、著者、作成、スケーラブルレイヤおよびモダリティトランスコーディングからなる群から選択される少なくとも１つの特徴記述によって定義される、請求項５１記載のコンピュータ可読記録媒体。
【請求項５５】 前記時間特徴がさらに、開始時間と終了時間と持続時間とからなる群から選択される少なくとも１つの特徴記述によって定義される、請求項５１記載のコンピュータ可読記録媒体。
【請求項５６】 前記オブジェクト階層記述が、前記映像オブジェクト記述によって表現される映像オブジェクトの視覚特徴関連に基づいている、請求項４９記載のコンピュータ可読記録媒体。
【請求項５７】 前記映像オブジェクト階層記述が、前記映像オブジェクト記述によって表現される映像オブジェクトの意味特徴関連に基づいている、請求項４９記載のコンピュータ可読記録媒体。
【請求項５８】 前記映像オブジェクト階層記述が、前記映像オブジェクト記述によって表現される映像オブジェクトの記録媒体特徴関連に基づいている、請求項４９記載のコンピュータ可読記録媒体。
【請求項５９】 前記映像オブジェクト階層記述が、前記映像オブジェクト記述によって表現される映像オブジェクトの時間特徴関連に基づいている、請求項４９記載のコンピュータ可読記録媒体。
【請求項６０】 前記映像オブジェクト階層記述が、前記映像オブジェクト記述によって表現される映像オブジェクトの関連に基づいており、前記映像オブジェクト階層記述が複数の階層レベルを有する、請求項４９記載のコンピュータ可読記録媒体。
【請求項６１】 複数の階層レベルを有する前記映像オブジェクト階層記述がクラスタリング階層を含む、請求項６０記載のコンピュータ可読記録媒体。
【請求項６２】 前記クラスタリング階層が、前記映像オブジェクト記述によって表現される映像オブジェクトの関連に基づいており、前記関連が、視覚特徴関連と意味特徴関連と時間特徴関連と記録媒体特徴関連とからなる群から選択される、請求項６１記載のコンピュータ可読記録媒体。
【請求項６３】 複数の階層レベルを有する前記映像オブジェクト階層記述が、抽出階層の多重レベルを含むように構成される、請求項６２記載のコンピュータ可読記録媒体。
【請求項６４】 前記抽出階層の多重レベルが、前記映像オブジェクト記述によって表現される映像オブジェクトの関連に基づくように構成され、前記関連が、視覚特徴関連と意味特徴関連と時間特徴関連と記録媒体特徴関連とからなる群から選択される、請求項６３記載のコンピュータ可読記録媒体。
【請求項６５】 前記実体関係グラフ記述が、前記映像オブジェクト記述によって表現される映像オブジェクトの関連に基づいており、前記関連が、視覚特徴関連と意味特徴関連と時間特徴関連と記録媒体特徴関連とからなる群から選択される、請求項４９記載のコンピュータ可読記録媒体。
【請求項６６】 前記映像オブジェクト記述が符号化記述情報の態様である、請求項４９記載のコンピュータ可読記録媒体。
【請求項６７】 前記映像オブジェクト記述と前記映像オブジェクト階層記述と前記実体関係グラフが、符号化記述情報の態様に互いに組合わされる、請求項４９記載のコンピュータ可読記録媒体。
【請求項６８】 前記符号化記述情報が２進符号化情報の態様である、請求項６７記載のコンピュータ可読記録媒体。
【請求項６９】 前記符号化記述情報がＸＭＬ符号化情報の態様である、請求項６７記載のコンピュータ可読記録媒体。
【請求項７０】 特徴記述が、コードダウンローディングを促進するために抽出コード、整合コードに対するポインタを含む、請求項３記載のシステム。
【請求項７１】 特徴記述が、コードダウンローディングを促進するために抽出コード、整合コードに対するポインタを含む、請求項５記載のシステム。
【請求項７２】 特徴記述が、コードダウンローディングを促進するために抽出コード、整合コードに対するポインタを含む、請求項２７記載の方法。
【請求項７３】 特徴記述が、コードダウンローディングを促進するために抽出コード、整合コードに対するポインタを含む、請求項２９記載の方法。
【請求項７４】 特徴記述が、コードダウンローディングを促進するために抽出コード、整合コードに対するポインタを含む、請求項５０記載のコンピュータ可読記録媒体。
【請求項７５】 特徴記述が、コードダウンローディングを促進するために抽出コード、整合コードに対するポインタを含む、請求項５３記載のコンピュータ可読記録媒体。